(57)【要約】      （修正有）【課題】太陽光発電装置の太陽電池パネルの面積を増加させることなく、光電変換効率を向上させることができる交通灯を提供する。【解決手段】交通灯は、灯本体と、灯本体に取り付けられる太陽光発電装置とを備え、太陽光発電装置は、太陽電池パネル２１と、集光板２２と、バッテリとを備える。集光板２２は、太陽電池パネルに設置され、太陽電池パネル２１は、バッテリに電気的に接続する。集光板２２は、底板と、底板から太陽電池パネル２１に向かって突出する複数の集光レンズを備え、集光板２２は透明材料からなる。【選択図】図２
0003218699.tif 000002
【実用新案登録請求の範囲】
【請求項１】
交通灯であって、灯本体と、前記灯本体に取り付けられる太陽光発電装置とを備え、前記太陽光発電装置は、太陽電池パネルと、集光板と、バッテリとを備え、前記集光板は、前記太陽電池パネルに設置され、前記太陽電池パネルは、前記バッテリに電気的に接続し、前記集光板は、底板と、前記底板から前記太陽電池パネルに向かって突出する複数の集光レンズとを備え、前記集光板は透明材料からなる、ことを特徴する交通灯。
【請求項２】
前記底板は、前記太陽電池パネルから離れる方向に突出して円弧面を形成する、ことを特徴とする請求項１に記載の交通灯。
【請求項３】
各前記集光レンズの底面は正六角形を呈し、前記集光レンズは底面から上面に向かって円弧状に延び、各前記集光レンズはシームレスに配置されて、ハニカム状の構造を形成する、ことを特徴とする請求項１に記載の交通灯。
【請求項４】
前記集光板は、前記太陽電池パネルに着脱可能に取り付けられる、ことを特徴とする請求項１〜３のいずれか一項に記載の交通灯。
【請求項５】
前記太陽電池パネルの縁部には取り付け溝が設けられ、前記集光板には、前記底板から前記太陽電池パネルの周囲に向かって延びる取り付け側壁が形成され、前記取り付け側壁には、前記取り付け溝に対応するボスが設けられ、前記集光板が前記太陽電池パネルに取り付けられるとき、前記ボスは前記取り付け溝内に係止される、ことを特徴とする請求項４に記載の交通灯。
【請求項６】
前記灯本体は、信号灯と、前記信号灯の上方に設けられる取り付け台とを備え、前記太陽光発電装置は、前記取り付け台の上端面に固定して設置され、前記バッテリは、前記信号灯に電気的に接続される、ことを特徴とする請求項４に記載の交通灯。    
【請求項７】
前記灯本体は、信号灯と、前記信号灯の上方に設けられる取り付け台とを備え、ユーザが前記太陽電池パネルの傾斜角度を調節できるように、前記太陽光発電装置の前記太陽電池パネルは、前記取り付け台に回転可能に設置される、ことを特徴とする請求項４に記載の交通灯。
【請求項８】
前記灯本体は表示パネルを備え、前記太陽光発電装置の前記太陽電池パネルは、前記表示パネルの上方に設けられる、ことを特徴とする請求項４に記載の交通灯。    
【請求項９】
交通灯用集光板であって、底板と、前記底板から内側に突出する複数の集光レンズとを備え、前記交通灯用集光板は、透明材料からなり、前記底板は、外側に突出して円弧面を形成し、各前記集光レンズの底面は正六角形を呈し、前記集光レンズは底面から上面に向かって円弧状に延び、各前記集光レンズはシームレスに配置されて、ハニカム状の構造を形成する、ことを特徴とする交通灯用集光板。
【考案の詳細な説明】
【技術分野】
【０００１】
本考案は交通灯及び交通灯用集光板に関する。
【背景技術】
【０００２】
現状の交通灯には、道路交通の様々な信号灯及び警告灯が含まれる。太陽電池技術の進歩に伴い、ますます多くの交通灯が、太陽電池の起電力を利用して給電され、交通灯の使用が非常に便利になっている。しかしながら、現在常用している太陽電池の光電変換効率は低く、十分な電気エネルギーを得るためには、十分な面積を有する太陽電池パネルを提供する必要がある。しかし、太陽電池パネルの面積を大きくすると、必然的に交通灯全体の体積が大きくなり、交通灯としての使用が不便になる。
【考案の概要】
【考案が解決しようとする課題】
【０００３】
従来技術の課題を克服するために、本考案の１つ目の目的は、太陽光発電装置の太陽電池パネルの面積を増加させることなく、光電変換効率を向上させることができる交通灯を提供することである。
【０００４】
本考案の２つ目の目的は、太陽光発電装置の光電変換効率を向上させるために、既存の太陽電池パネルに便利且つ迅速に設置するのに適した交通灯用集光板を提供することである。
【課題を解決するための手段】
【０００５】
本考案の１つ目の目的は、以下の技術的手段を採用して実現される。
本考案の交通灯は、灯本体と、上記灯本体に取り付けられる太陽光発電装置とを備え、上記太陽光発電装置は、太陽電池パネルと、集光板と、バッテリとを備え、上記集光板は、上記太陽電池パネルに設置され、上記太陽電池パネルは、上記バッテリに電気的に接続され、上記集光板は、底板と、上記底板から上記太陽電池パネルに向かって突出する複数の集光レンズとを備え、上記集光板は透明材料からなる。
【０００６】
上記底板は、上記太陽電池パネルから離れる方向に突出して円弧面を形成することが好ましい。上記底板を円弧状に構成することにより、異なる方向の光をより有利に集めることができる。
【０００７】
各柄記集光レンズの底面は正六角形を呈し、上記集光レンズは底面から上面に向かって円弧状に延び、各上記集光レンズはシームレスに配置されて、ハニカム状の構造を形成することが好ましい。  
【０００８】
上記集光板は、上記太陽電池パネルに着脱可能に取り付けられることが好ましい。
【０００９】
上記太陽電池パネルの縁部には取り付け溝が設けられ、上記集光板には、上記底板から上記太陽電池パネルの周囲に向かって延びる取り付け側壁が形成され、上記取り付け側壁には、上記取り付け溝に対応するボスが設けられ、上記集光板が前記太陽電池パネルに取り付けられるとき、上記ボスは上記取り付け溝内に係止されることが好ましい。
【００１０】
上記灯本体は、信号灯と、上記信号灯の上方に設けられる取り付け台とを備え、上記太陽光発電装置は、上記取り付け台の上端面に固定して設置され、上記バッテリは、上記信号灯に電気的に接続されることが好ましい。
【００１１】
さらに、上記灯本体は、信号灯と、上記信号灯の上方に設けられる取り付け台とを備え、ユーザが上記太陽電池パネルの傾斜角度を調節できるように、上記太陽光発電装置の上記太陽電池パネルは、上記取り付け台に回転可能に設置されてもよい。
【００１２】
さらに、上記灯本体は表示パネルを備え、上記太陽光発電装置の上記太陽電池パネルは、前記表示パネルの上方に設けられてもよい。
【００１３】
本考案の２つ目の目的は、以下の技術的手段を採用して実現される。
すなわち、本考案の交通灯用集光板は、底板と、上記底板から内側に突出する複数の集光レンズとを備え、上記交通灯用集光板は、透明材料からなり、上記底板は、外側に突出して円弧面を形成し、各上記集光レンズの底面は正六角形を呈し、上記集光レンズは底面から上面に向かって円弧状に延び、各上記集光レンズはシームレスに配置されて、ハニカム状の構造を形成する。
【考案の効果】
【００１４】
従来技術と比較して、本考案は以下の点で優れている。すなわち、太陽電池パネルに特製の集光板を追加することにより、太陽電池パネルの光電変換効率を向上させることができる。
【図面の簡単な説明】
【００１５】
【図１】本考案の一実施形態による交通灯に用いられる太陽光発電装置の好ましい一例を示す模式図である。
【図２】本考案の一実施形態による交通灯に用いられる太陽光発電装置の好ましい一例を示す分解模式図である。
【図３】本考案の一実施形態による集光板の模式図である。
【図４】本考案の一実施形態による集光板の断面図である。
【図５】本考案の実施形態による交通灯の好ましい一例を示す模式図である。
【図６】本考案の実施形態による交通灯の別の好ましい例を示す模式図である。
【図７】本考案の実施形態による交通灯の別の好ましい例を示す模式図である。
【図８】本考案の実施形態による交通灯の第３の好ましい例を示す正面図である。
【図９】本考案の実施形態による交通灯の第３の好ましい例を示す平面図である。
【符号の説明】
【００１６】
１     灯本体
１１       信号灯
１２Ａ 取り付け台
１２Ｂ 取り付け台
１３       表示パネル
２     太陽光発電装置
２１       太陽電池パネル
２１０ 装着溝
２２       集光板
２２１ 底板
２２２ 集光レンズ
２２３ 取り付け側壁
２２４ ボス
【考案を実施するための形態】
【００１７】
以下、添付の図面及び具体的な実施形態を参照して、本考案をさらに説明する。なお、互いに矛盾しない限り、以下に記載される実施例同士又は技術的特徴を、任意に組み合わせて新たな実施例を形成することができる。
【００１８】
本考案の説明では、位置用語について、「中心」、「横方向」、「縦方向」、「長さ」、「幅」、「厚さ」、「上」、「下」、「前」、「後」、「左」、「右」、「垂直」、「水平」、「頂」、「底」、「内」、「外」、「時計回り」、「反時計回り」などの用語が指示する方位や位置関係は、図面に示される方位や位置関係に基づくものである。これらは、単に本考案を容易且つ簡単に説明するためのものであり、示される装置又は部材が必ず特定の方位を有し特定の方位で構成及び動作することを指示又は示唆するものではない。そして、本考案の具体的な保護範囲を制限するものではないと理解されるべきである。
【００１９】
本考案では、交通灯を提供する。この交通灯は、灯本体１と、灯本体１に取り付けられる太陽光発電装置２とを備える。図１、２に示されるように、太陽光発電装置２は、太陽電池パネル２１と、集光板２２と、バッテリ（図示せず）とを備える。集光板２２は、太陽電池パネル２１に設置され、太陽電池パネル２１は、上記バッテリに電気的に接続される。
【００２０】
図３、４に示されるように、集光板２２は、底板２２１と、底板２２１から太陽電池パネル２１の方向に向かって突出する複数の集光レンズ２２２を備える。集光板２２は、透明材料からなる。集光板２２は、太陽エネルギーの利用効率を向上させることができ、同じ照度で、太陽光発電装置２の光電変換効率を向上させる。集光板２２は、光を集めることに加え、太陽電池パネル２１を保護し、太陽電池パネル２１の破損を防止する機能も有している。
【００２１】
底板２２１は、太陽電池パネル２１から離間する方向に突出する。即ち、底板２２１は一定の角度を有する円弧状である。底板２２１を円弧状に構成することにより、異なる方向の光をより有利に集めることができる。
【００２２】
各集光レンズ２２２の底面は正六角形を呈し、集光レンズ２２２は底面から上面に向かって円弧状に延びる。各集光レンズ２２２はシームレスに配置されて、ハニカム形状に類似する構造を形成する。
【００２３】
図２に示されるように、集光板２２は太陽電池パネル２１に着脱可能に取り付けられ、集光板２２が破損した場合に容易に交換することができる。太陽電池パネル２１の縁部には取り付け溝２１０が設けられる。集光板２２には、底板２２１から太陽電池パネル２１の周囲に向かって延びる取り付け側壁２２３が形成される。取り付け側壁２２３には、取り付け溝２１０に対応するボス２２４が設けられる。集光板２２を太陽電池パネル２１に取り付ける際は、ボス２２４が取り付け溝２１０内に係止され、集光板２２は、太陽電池パネル２１に安定して設置される。集光板２２を取り外す必要がある場合は、集光板２２に外力を加えて、取り付け側壁２２３をある程度変形させ、ボス２２４を取り付け溝２１０から離す。
【００２４】
図５に示される一実施例では、灯本体１は交通信号灯である。灯本体１は、信号灯１１、及び信号灯１１の上方に設けられる取り付け台１２Ａを備える。太陽光発電装置２は、取り付け台１２Ａの上端面に固定して設置される。太陽光発電装置２のバッテリは、信号灯１１に電気的に接続され、信号灯１１に電力を供給するように構成される。
【００２５】
図６に示される他の実施例では、灯本体１は交通信号灯である。灯本体１は、信号灯１１、及び信号灯１１の上方に設けられる取り付け台１２Ｂを備える。太陽光発電装置２の太陽電池パネル２１は、取り付け台１２Ｂに回転可能に設けられる、この構成では、ユーザが太陽電池パネル２１の傾斜角度を調節できる。
【００２６】
図７に示される他の実施例では、灯本体１は交通警告灯である。灯本体１は表示パネル１３を備える。太陽光発電装置２の太陽電池パネル２１は、表示パネル１３の上方に設けられ、集光板２２は太陽電池パネル２１に設けられる。
【００２７】
図８、９に示される第３の実施例では、灯本体１は警告灯である。太陽光発電装置２は、灯本体１の上方に設けられる。
【００２８】
なお、太陽光発電装置２のバッテリは、太陽電池パネル２１の裏面に固定されてもよく、灯本体１内に取り付けられてもよい。
【００２９】
上記実施形態は、本考案の好適な実施形態に過ぎず、本考案の保護範囲を制限するものではない。本考案に基づいて当業者によってなされた任意の非実質的な変更及び置換は、本考案の保護範囲内に属する。
【図１】
0003218699.tif 000003
【図２】
0003218699.tif 000004
【図３】
0003218699.tif 000005
【図４】
0003218699.tif 000006
【図５】
0003218699.tif 000007
【図６】
0003218699.tif 000008
【図７】
0003218699.tif 000009
【図８】
0003218699.tif 000010
【図９】
0003218699.tif 000011